(57)【要約】【解決手段】底面に形成されたスライディング突起を有し且つ携帯端末機の現在画面を表示する表示部;  および上記スライディング突起に組み合わされ且つ頂面に形成されたスライディング溝を有し、上記スライディング突起と上記スライディング溝の連携動作によって上記表示部の下部へスライディング挿入され、上記携帯端末機が収容されて接続できるように形成された収容空間を有する携帯端末機結合部を含む携帯端末機を結合可能なディスプレイ装置を提供する。携帯端末機が連結された別体のディスプレイ装置で携帯端末機を制御することができ、別体のディスプレイ装置に携帯端末機が露出されないように結合することができ、携帯端末機のバッテリーが充電されていない場合に別体のディスプレイ装置から携帯端末機に電力を供給することができる。【選択図】図１
2014508353.tif 000002
【特許請求の範囲】
【請求項１】
底面に形成されたスライディング突起(115)を有し且つ携帯端末機(200)の現在画面を表示する表示部(110);  および
上記スライディング突起(115)に組み合わされ且つ頂面に形成されたスライディング溝(124)を有し、上記スライディング突起(115)と上記スライディング溝(124)の連携動作によって上記表示部(110)の下部へスライディング挿入され、上記携帯端末機(200)が収容されて接続できるように形成された収容空間(121)を有する携帯端末機結合部(120)
を含む携帯端末機を結合可能なディスプレイ装置。
【請求項２】
上記表示部(110) または上記携帯端末機結合部(120)は、底面に、上記表示部(110)または上記携帯端末機結合部(120)に電力を供給するバッテリー部(130)を含む、請求項１に記載の装置。
【請求項３】
上記表示部(110)は、
上記バッテリー部(130)から表示部(110)に供給される電力を制御する電源ボタン(111); 上記携帯端末機(200)で駆動されるソフトウェアから生成される音を出力するスピーカ(112); 及び上記スピーカ(112)から発生される音のボリュームを調節するボリューム調節ボタン(113);を更に含む、請求項１に記載の装置。
【請求項４】
上記携帯端末機結合部(120)は、
上記収容空間(121)に装着され、携帯端末機(200)と連結され、上記携帯端末機(200)と上記表示部(110)の画面データを上記携帯端末機(200)と上記表示部(110)との間で双方向伝送するコネクタ(122); 及び上記携帯端末機(200)に具備されたカメラの位置と一致されるように形成されたカメラホール(123);を更に含む、請求項１に記載の装置。
【請求項５】
上記コネクタ(122)は、上記バッテリー部(130)から供給された電力が上記携帯端末機(200)に伝達されるように上記バッテリー部(130)と連結されている、請求項１に記載の装置。
【請求項６】
上記バッテリー部(130)は装着脱装式で分離できる、請求項１に記載の装置。
【発明の詳細な説明】
【技術分野】
【０００１】
本発明は携帯端末機を結合可能なディスプレイ装置に関し、より詳細に、表示部と携帯端末機結合部が一体型で形成された別体のディスプレイ装置の携帯端末機結合部に携帯端末機を連結して携帯端末機の現在画面を表示部にて表示および制御することができ、携帯端末機が結合された携帯端末機結合部が表示部の下部にスライディング挿入可能なディスプレイ装置に関する。
【背景技術】
【０００２】
一般的に携帯端末機の現在画面を別体のディスプレイ装置に表示する装置は単に携帯端末機の現在画面を表示するのみで、別体のディスプレイ装置を通じて携帯端末機の現在画面を制御できないという問題点があった。
【０００３】
又、携帯端末機はそれが結合された別体のディスプレイ装置の外部に露出しているので、携帯端末機は損傷を受けたり、誤作動したりするという問題があった。
【０００４】
さらに、携帯端末機のバッテリーが充電されていない場合には別体のディスプレイ装置に携帯端末機を連結しても使用できないという問題点があった。
【発明の概要】
【発明が解決しようとする課題】
【０００５】
そこで、本発明は上記の問題点を解決するために創出された。本発明の目的は、携帯端末機に連結されたディスプレイ装置によって携帯端末機の画面が制御でき、該ディスプレイ装置に携帯端末機が露出されないように結合することができ、携帯端末機のバッテリーが充電されていない場合にディスプレイ装置から携帯端末機に電力が供給できる携帯端末機を連結可能なディスプレイ装置を提供することである。
【課題を解決するための手段】
【０００６】
上記の目的を達成するために、
本発明の一実施形態によれば、底面に形成されたスライディング突起を有し且つ携帯端末機の現在画面を表示する表示部;及びスライディング突起に組み合わされ且つ頂面に形成されたスライディング溝を有し、スライディング突起とスライディング溝の連携動作によって表示部の下部へスライディング挿入され、携帯端末機が収容されて接続できるように形成された収容空間を有する携帯端末機結合部;を含む携帯端末機を結合可能なディスプレイ装置が提供される。
【０００７】
表示部または携帯端末機結合部は底面に表示部または携帯端末機結合部に電力を供給するバッテリー部を更に含む。
【０００８】
表示部はバッテリー部から表示部に供給される電力を制御する電源ボタン; 携帯端末機で駆動されるソフトウェアから生成する音を出力するスピーカ; 及びスピーカから発生される音のボリュームを調節するボリューム調節ボタンをさらに含む。
【０００９】
携帯端末機結合部は、収容空間に装着され、携帯端末機と連結され、携帯端末機と表示部の画面データを携帯端末機と表示部との間で双方向伝送するコネクタ; 及び携帯端末機に具備されたカメラの位置と一致できるように形成されたカメラホールをさらに含む。
【００１０】
コネクタはバッテリー部から供給された電力が携帯端末機に伝達できるようにバッテリー部と連結される。
【００１１】
バッテリー部は装着脱装式で分離できる。
【発明の効果】
【００１２】
前述した本発明の好適な実施形態によれば、携帯端末機が連結された別体のディスプレイ装置で携帯端末機の画面を制御でき、別体のディスプレイ装置に携帯端末機が露出されないように結合することができ、携帯端末機のバッテリーが充電されていない場合に別体のディスプレイ装置で携帯端末機に電力を供給することができる。
【図面の簡単な説明】
【００１３】
次に、添付される図面を参照して、本発明の好ましい実施形態を詳細に示すことにより、本発明に係る上記および他の目的、構成並びに効果を明らかにする。
【００１４】
【図１】本発明の一実施形態に係る携帯端末機を結合可能なディスプレイ装置であって、携帯端末機結合部が表示部から引き出された状態を示す斜視図である。
【図２】本発明の一実施形態に係る携帯端末機を結合可能なディスプレイ装置であって、携帯端末機結合部が表示部に挿入された状態を示す斜視図である。
【図３】本発明の一実施形態に係る携帯端末機を結合可能なディスプレイ装置を示す分解斜視図である。
【図４】本発明の一実施形態に係る携帯端末機を結合可能なディスプレイ装置であって、携帯端末機結合部が表示部から引き出された状態を示す底面図である。
【図５】本発明の一実施形態に係る携帯端末機を結合可能なディスプレイ装置であって、携帯端末機結合部が表示部に挿入された状態を示す底面図である。
【図６】本発明の一実施形態に係る携帯端末機を結合可能なディスプレイ装置であって、携帯端末機が該ディスプレイ装置に収容され且つ携帯端末機の現在画面が表示部に出力されている状態を示す斜視図である。
【発明を実施するための形態】
【００１５】
以下、添付された図面を参照して本発明の望ましい実施例を詳細に説明する。
【００１６】
<携帯端末機を結合可能なディスプレイ装置>
図１は、本発明の一実施形態に係る携帯端末機を結合可能なディスプレイ装置であって、携帯端末機結合部が表示部から引き出された状態を示す斜視図であり、図２は、本発明の一実施形態に係る携帯端末機を結合可能なディスプレイ装置であって、携帯端末機結合部が表示部に挿入された状態を示す斜視図であり、図３は、本発明の一実施形態に係る携帯端末機を結合可能なディスプレイ装置を示す分解斜視図であり、図４は、本発明の一実施形態に係る携帯端末機を結合可能なディスプレイ装置であって、携帯端末機結合部が表示部から引き出された状態を示す底面図であり、図５は、本発明の一実施形態に係る携帯端末機を結合可能なディスプレイ装置であって、携帯端末機結合部が表示部に挿入された状態を示す底面図であり、図６は、本発明の一実施形態に係る携帯端末機を結合可能なディスプレイ装置であって、携帯端末機が該ディスプレイ装置に収容され且つ携帯端末機の現在画面が表示部に出力されている状態を示す斜視図である。
【００１７】
図１〜図６に示されるように、本発明の一実施形態に係る携帯端末機を結合可能なディスプレイ装置(100)は表示部(110) 及び携帯端末機結合部(120)を含む。
【００１８】
ここで、携帯端末機を結合可能なディスプレイ装置(100)に結合される携帯端末機(200)としては、携帯電話、PMP、スマートフォン、PDA、液晶表示器が具備されるMP3プレーヤ等が挙げられる。
【００１９】
表示部(110)の底面にスライディング突起(115)が形成されており、表示部(110)は携帯端末機(200)の現在画面を表示する。このような表示部(110)は、LED、LCD または OLEDで構成され、表示部(110)に表示される画面は容量方式または抵抗方式のタッチ制御ができる。 また、表示部(110)に表示された携帯端末機(200)の現在画面は表示部(110)で別途に操作でき、表示部(110)を通じて操作された携帯端末機(200)の現在画面は携帯端末機(200)に送信されて携帯端末機(200)に適用される。 このような、表示部(110)には電源ボタン(111)、スピーカ(112)、ボリューム調節ボタン(113)、イヤホン挿入ホール(114)及びバッテリー部(130)が具備される。
【００２０】
電源ボタン(111)は、表示部(110)に供給される電力を制御する。携帯端末機を結合可能なディスプレイ装置(100)を用いない場合に電源ボタン(111)を利用して電源をオフすることにより後述するバッテリー部(130)の電力が浪費されない長所がある。
【００２１】
スピーカ(112)は携帯端末機(200)で現在駆動されるソフトウェアから生成される音を出力する。 ここで、スピーカ(112)を通じて出力される音は、携帯端末機(200)のスピーカで発生する音と等しい音ではなく、携帯端末機(200)で駆動されるソフトウェアから生成する音を出力する。 従って、携帯端末機(200)がバイブレーションモードまたはミュートモードの場合でも携帯端末機(200)で駆動されるソフトウェアから生成される音がスピーカ(112)を通じて出力される。 このような、スピーカ(112)は一つ以上具備されてドルビーステレオサウンドのような多様な音を出力することができる。
【００２２】
ボリューム調節ボタン(113)はスピーカ(112)で発生される音のボリュームを調節することで、スピーカ(112)に出力される音の大きさを使用者が望む音の大きさに調節することができ、スピーカ(112)から必要以上の音が出力されることを防止して後述するバッテリー部(130)の電力を節約することができる。
【００２３】
イヤホン挿入ホール(114)には別途のイヤホンを連結することができる。イヤホン挿入ホール(114)にイヤホンを連結する場合にスピーカ(112)で出力される音を無音にして同時にスピーカ(112)から出力される音をイヤホンに出力する。イヤホンとイヤホン挿入ホール(114)との連結関係は当業界で通常的に使用されるので詳細な説明は省略する。
【００２４】
バッテリー部(130)は、表示部(110)に電力を供給し、また後述する携帯端末機結合部(120)を通じて携帯端末機(200)に電力を供給する。 ここで、バッテリー部(130)は表示部(110)の底面に具備され、着脱式で分離できる。バッテリー部(130)が充電されていない場合に更に具備される余分のバッテリー部(130)で入れ替え結合して使用できるので毎度充電し使用する煩わしさのない長所がある。
【００２５】
前述した電源ボタン(111)、スピーカ(112)、ボリューム調節ボタン(113) 及びイヤホン挿入ホール(114)は、表示部(110)の何れの場所にも据付けることができ、当業者の単純設計変更で据付ける場所を変更することができる。 また、電源ボタン(111) 及びボリューム調節ボタン(113)は一般的なボタン方式またはタッチボタン方式を用いることができる。
【００２６】
携帯端末機結合部(120)の頂面に、表示部(110)のスライディング突起(115)の形状に対応するスライディング溝(124)が形成されている。携帯端末機結合部(120)は、表示部(110)のスライディング突起(115)とスライディング溝(124)の連携動作によって表示部(110)の下部にスライディング挿入される。携帯端末機(200)が収容され接続できるように収容空間(121)が形成されている。ここで、収容空間(121)は、携帯端末機(200)が収容できる程度の大きさで携帯端末機結合部(120)の一部に形成される。このような携帯端末機結合部(120)は、コネクタ(122)、カメラホール(123)、スライディング溝(124) 及びバッテリー部(130)を更に含む。
【００２７】
コネクタ(122)は、携帯端末機(200)のコネクター受け端子と結合され、携帯端末機(200)と表示部（110）との間でデータ伝送することができる。ここで、コネクタ(122)を通じて連結された携帯端末機(200)と表示部(110)は双方向通信ができる。 すなわち、携帯端末機(200)の現在画面に関するデータを表示部(110)に送信し、同時に表示部(110)を通じて使用者が携帯端末機(200)の現在画面を操作するデータを携帯端末機(200)に送信する。又、コネクタ(122)はバッテリー部(130)から供給された電力を携帯端末機(200)に伝達して、携帯端末機結合部(120)に結合された携帯端末機(200)の電力が充電されていない場合にも携帯端末機(200)を駆動して使用できるようにする。このような、コネクタ(122)として 30ピンコネクタ、HDMIコネクタ等を用いることができる。
【００２８】
カメラホール(123)は携帯端末機結合部(120)の底面を貫いて形成される。このカメラホール(123)は携帯端末機に具備されたカメラの位置と一致できるように形成され、携帯端末機(200)を携帯端末機結合部(120)に結合した状態でも携帯端末機(200)を用いてカメラ撮影ができる。ここにおいて、カメラホール(123)が形成された位置及び大きさは携帯端末機(200)の種類によって可変されることは当然である。
【００２９】
表示部(110)の説明において述べたように、バッテリー部(130)は、携帯端末機結合部(120)の底面に位置する。 ここで、バッテリー部(130)から携帯端末機(200)に電力供給すると、バッテリー部(130)から供給された電力がコネクタ(122)を通じて携帯端末機(120)に伝達される。
【００３０】
本発明によれば、携帯端末機を該携帯端末機に結合された別体のディスプレイ装置を使って制御することができる。また携帯端末機を露出させることなくディスプレイ装置に接続できる。携帯端末機が充電されていない場合に、該ディスプレイ装置から携帯端末機に電力を供給することができる。
【００３１】
本発明について特定の実施形態を参照して説明してきたが、本発明は添付の請求の範囲によってのみ限定され、これら実施形態によっては限定されない。本発明はその範囲および主旨から外れない限りにおいて、当業者が成すであろう変更または修正した実施形態を包含すると解釈されるべきである。
【図１】
2014508353.tif 000003
【図２】
2014508353.tif 000004
【図３】
2014508353.tif 000005
【図４】
2014508353.tif 000006
【図５】
2014508353.tif 000007
【図６】
2014508353.tif 000008
【国際調査報告】
2014508353.tif 000009
2014508353.tif 000010